(57)【要約】【課題】  受信装置における相関ピークの検出タイミングによらず、受信データのシンボル長を正確に検出することができる地上デジタル放送受信装置を提供する。【解決手段】  有効シンボルとガードインターバルとを含むシンボルデータを受信する地上デジタル放送受信装置に、有効シンボルの一部とガードインターバルとの相関信号を生成する相関信号生成部１、相関信号におけるピークを一のタイミング枠で検出するピーク検出ブロック１０１、ピーク検出ブロック１０１による検出のタイミングと異なる周期で検出するピーク検出ブロック１０２、ピーク検出ブロック１０１、ピーク検出ブロック１０２のうち、より一定の時間に近い間隔でピークを検出するかを判定するばらつき検出部３３及び比較器１０３、一定の時間により近い間隔で検出されたピークを選択的に出力させるセレクタ１０５を設ける。【選択図】  図４
2006340275.tif 000002
【特許請求の範囲】
【請求項１】
送信の目的となる有効シンボルと、該有効シンボルの一部をコピーして有効シンボルに付したガードインターバルとを含むシンボルデータを受信する地上デジタル放送受信装置であって、
コピーされた有効シンボルの一部とガードインターバルとの相関性を示す相関信号を生成する相関信号生成手段と、
前記相関信号生成手段によって生成された相関信号におけるピークを、一定の検出時間ごとに検出する第１ピーク検出手段と、
前記相関信号におけるピークを、前記検出時間ごとに、前記第１ピーク検出手段による検出のタイミングと異なるタイミングで検出する第２ピーク検出手段と、
前記第１ピーク検出手段によるピーク検出タイミング同士の間隔と、前記第２ピーク検出手段によるピーク検出タイミング同士の間隔とを比較し、第１ピーク検出手段または第２ピーク検出手段のうちのいずれがより一定の時間に近い間隔でピークを検出するかを判定するピーク検出タイミング判定手段と、
前記第１ピーク検出手段によって検出されたピーク、または前記第２ピーク検出手段によって検出されたピークのうち、前記ピーク検出タイミング判定手段によって一定の時間により近い間隔で検出されると判定されたピークを選択的に出力させるピーク選択手段と、
を備えることを特徴とする地上デジタル放送受信装置。
【請求項２】
前記第２ピーク検出手段は、前記第１ピーク検出手段による検出のタイミングに対して位相が１／２周期ずれたタイミングで前記相関信号におけるピークを検出することを特徴とする請求項１に記載の地上デジタル放送受信装置。
【請求項３】
前記ピーク検出タイミング判定手段は、ピーク検出タイミング同士の間隔を、前記第１ピーク検出手段によるピーク検出タイミング間のばらつき、前記第２ピーク検出手段によるピーク検出タイミング間のばらつきに基づいて判定することを特徴とする請求項１または２に記載の地上デジタル放送受信装置。
【発明の詳細な説明】
【技術分野】
【０００１】
本発明は、地上デジタル放送で送信された信号を受信する地上デジタル放送受信装置に係り、特にＯＦＤＭ（Orthogonal Frequency Division Multiplexing）方式を採用した地上デジタル放送の受信装置に関する。
【背景技術】
【０００２】
現在我が国では、ＩＳＤＢ−Ｔ（Integrated Services Digital Broadcasting-Terrestrial）と呼ばれる地上デジタル放送が実用化されている。地上デジタル放送の方式は国際的に規格化されていて、日本においてはマルチキャリア方式の一つであるＯＦＤＭ方式が採用されている。
ＯＦＤＭ方式では、送信されたデータがマルチパスによって混信することを防ぐため、送信データを１シンボルごとに送信の目的となるデータ（有効シンボル）と、ガードインターバル（ＧＩ）とで構成する。ＧＩは、送信されるデータ長に余裕を持たせ、マルチパスの妨害を防ぐものであって、有効シンボルの終端部をコピーして始端部に付すことによって作成される。
【０００３】
ところで、ＯＦＤＭ方式には、有効シンボル長とＧＩとの長さに複数の種別があって、送受信の状態や送信すべきデータの量によって使い分けられる。ＩＳＤＢ−Ｔでは、有効シンボル長として２５２μｓ、５０４μｓ、１００８μｓの３つの長さがあり、ＧＩが、有効シンボル長の１／４、１／８、１／１６、１／３２をとり得る。信号の種別は、有効シンボル長とＧＩとの組み合わせによって決定するので、ＩＳＤＢ−Ｔ方式では、１２種類の信号を送受信することが可能である。
【０００４】
また、ＩＳＤＢ−Ｔでは、送信に使用される信号の種別は、信号の送信側が決定されるのであって、基本的に受信側では受信すべき信号の種類を予め知ることはできない。このため、受信装置では、１シンボルのデータのうちＧＩとデータ終端部が同じデータであることを利用し、両者の相関値を求めることによって受信されたデータの１シンボルのデータ長を判定している。また、受信装置では、判定によって得られたデータ長に応じて以降のデータ受信のための設定が決定される。
【０００５】
図５（ａ）〜（ｄ）は、受信装置において受信データの種別を判定する方法を説明するための図であって、（ａ）は１シンボルのデータの構成を示している。また、（ｂ）は、図５（ａ）に示した終端部５１とＧＩとの相関値を示した図である。（ｃ）、（ｄ）は、相関値からデータのシンボル長を求めるためにデータを検出する検出時間の単位と相関値との関係を説明するための図である。
【０００６】
図５（ａ）に示したように、受信データを構成する１シンボルのデータは、有効シンボル５２と、有効シンボル５２の終端部５１をコピーして始端に付したＧＩとで構成されている。このため、終端部５１とＧＩとは強い相関を持っていて、相関値を連続的に検出することによって終端部５１とＧＩとの境界を頂点とするピーク信号Ｐ（相関ピーク）が得られる。相関ピークＰの間隔が有効シンボルとＧＩとを足し合わせたシンボル長に相当することから、相関ピークＰを検出することによって受信データのシンボル長が求められる。
【０００７】
このような方法で受信データのシンボル長を求める従来技術として、例えば、特許文献１が掲げられる。特許文献１は、ＧＩに前のデータのマルチパス成分が影響することによってＧＩと終端部５１との相関が低下し、相関ピークＰの検出精度が低下することに着目してなされている。このため、特許文献１では、実際に相関ピークＰの最大値が得られた観測点からわずかにずれた観測点を使ってデータシンボル長を求めている。
【特許文献１】特開平１１−３５５２４１号公報
【発明の開示】
【発明が解決しようとする課題】
【０００８】
上記した相関ピークＰは、受信されたデータのモードが、検出に使われた有効シンボル長やＧＩ長の設定と一致した場合に得られるものである。従来技術では、この点を利用し、予想されるシンボル長に応じた複数の受信モードでデータを受信する。そして、受信データの相関ピークＰを検出し、間隔のばらつきが最も少ない相関ピークＰが得られた受信のモード及び相関ピークＰが検出された時間間隔に基づいて受信データのシンボル長を判定している。シンボル長の判定では、例えば、図５（ｃ）に示したタイミングｔ１ごとに受信データのピークを検出すると、タイミングｔ１ごとに１つの相関ピークＰが検出される。
【０００９】
しかしながら、ＯＦＤＭ方式では、送信側のデータ送信開始と受信側の受信開始タイミングとを同期させることは一般的になされていない。このため、従来の技術では、受信装置が、受信データの相関値を任意のタイミングで一定の時間ごとに切り出してピークを検出する。このため、相関ピークＰが出現するタイミングと、検出の開始、終了のタイミングとが一致することが起こり得る。
【００１０】
図５（ｄ）は、相関ピークＰと検出のタイミングｔ２の開始、終了が一致した例を示している。受信装置は、一般的に、１つのタイミングにおける相関値の最大値を検出し、最大値を相関ピークの頂点として検出している。このため、図５（ｄ）に示した例では、相関ピークＰのピーク値が１つのタイミング内で２つ検出されることになる。このような場合、明瞭な相関ピークＰが現われているにも関わらず、正確なシンボル長を検出することができないという不具合が生じる。
【００１１】
上記した従来技術は、検出のタイミングが相関ピークＰと一致した場合の観測点の適正なずれ量を判定することを想定してなされたものではない。また、通信のシステムにおいて、送信側と受信側とで使用されているクロックは厳密に一致していることが保証されていないので、観測点の適正なずれ量は、わずかながら経時的に変化する可能性がある。このため、特許文献１の従来技術によって上記した不具合を解消することはできない。
【００１２】
本発明は、このような点に鑑みてなされたものであって、受信装置におけるピークの検出タイミングによらず、受信データのシンボル長を正確に検出することができる地上デジタル放送受信装置を提供することを目的とする。
【課題を解決するための手段】
【００１３】
以上の課題を解決するため、本発明の地上デジタル放送受信装置は、送信の目的となる有効シンボルと、該有効シンボルの一部をコピーして有効シンボルに付したガードインターバルとを含むシンボルデータを受信する地上デジタル放送受信装置であって、コピーされた有効シンボルの一部とガードインターバルとの相関性を示す相関信号を生成する相関信号生成手段と、前記相関信号生成手段によって生成された相関信号におけるピークを、一定の検出時間ごとに検出する第１ピーク検出手段と、前記相関信号におけるピークを、前記検出時間ごとに、前記第１ピーク検出手段による検出のタイミングと異なるタイミングで検出する第２ピーク検出手段と、前記第１ピーク検出手段によるピーク検出タイミング同士の間隔と、前記第２ピーク検出手段によるピーク検出タイミング同士の間隔とを比較し、第１ピーク検出手段または第２ピーク検出手段のうちのいずれがより一定の時間に近い間隔でピークを検出するかを判定するピーク検出タイミング判定手段と、前記第１ピーク検出手段によって検出されたピーク、または前記第２ピーク検出手段によって検出されたピークのうち、前記ピーク検出タイミング判定手段によって一定の時間により近い間隔で検出されると判定されたピークを選択的に出力させるピーク選択手段と、を備えることを特徴とする。
【００１４】
このような発明によれば、コピーされた有効シンボルの一部とガードインターバルとの相関性を示す相関信号におけるピークを、第１ピーク検出手段によって一定の検出時間ごとに検出することができる。さらに、一定の検出時間ごとに、かつ、第２ピーク検出手段によって、第１ピーク検出手段による検出のタイミングと異なるタイミングで検出することができる。また、第１ピーク検出手段によるピーク検出タイミング同士の間隔と、第２ピーク検出手段によるピーク検出タイミング同士の間隔とを比較し、第１ピーク検出手段、第２ピーク検出手段のうちのいずれがより一定の時間に近い間隔でピークを検出するかを判定し、より一定の時間に近い間隔で検出されるピークを選択的に出力させることができる。
【００１５】
このような本発明は、第１ピーク検出手段、第２ピーク検出手段のいずれかによって受信データのシンボル長を正確に検出することができる。また、第１ピーク検出手段、第２ピーク検出手段のいずれにおいてもピークが検出された場合にも、第１ピーク検出手段、第２ピーク検出手段のうちのいずれがより一定の時間に近い間隔でピークを検出するかを判定し、より一定の時間に近い間隔で検出されるピークを選択的に出力させることができる。このため、よりばらつきが小さく、信頼性の高いピークを使って地上波を受信することができる。したがって、受信装置におけるピークの検出タイミングによらず、受信データのシンボル長を正確に検出することができる地上デジタル放送受信装置を提供することができる。
【００１６】
また、本発明の地上デジタル放送受信装置は、前記第２ピーク検出手段が、前記第１ピーク検出手段による検出のタイミングに対して位相が１／２周期ずれたタイミングで前記相関信号におけるピークを検出することを特徴とする。
このような発明によれば、第１ピーク検出手段、第２ピーク検出手段のいずれにおいても検出タイミングが不適正なため正確にピークが検出できない可能性を低減し、本発明の地上デジタル放送受信装置の信頼性を高めることができる。
【００１７】
また、本発明の地上デジタル放送受信装置は、前記ピーク検出タイミング判定手段が、ピーク検出タイミング同士の間隔を、前記第１ピーク検出手段によるピーク検出タイミング間のばらつき、前記第２ピーク検出手段によるピーク検出タイミング間のばらつきに基づいて判定することを特徴とする。
このような発明によれば、比較的簡易な構成によってピーク検出タイミング同士の間隔がより一定の時間に近いかを判断することができる。
【発明を実施するための最良の形態】
【００１８】
以下、図を参照して本発明に係る地上デジタル放送受信装置の一実施の形態を説明する。
図１は、本実施形態の地上デジタル放送受信装置の全体的な構成を説明するための図である。図１に示した地上デジタル放送受信装置は、シンボルデータを受信する地上デジタル放送受信装置である。なお、シンボルデータとは、送信の目的となる有効シンボルと、この有効シンボルの一部をコピーして有効シンボルに付したガードインターバルとを含むデータをいう。
【００１９】
本実施形態の地上デジタル放送受信装置は、コピーされた有効シンボルの一部とガードインターバルとの相関性を示す相関信号を生成する相関信号生成部１と、相関信号生成部１によって生成された相関信号Ｃにおけるピークを、一定の検出時間ごとに検出するピーク検出ブロック１０１と、相関信号Ｃにおけるピークを、前記した検出時間ごとに、ピーク検出ブロック１０１による検出のタイミングと異なるタイミングで検出するピーク検出ブロック１０２と、を備えている。
【００２０】
また、本実施形態の地上デジタル放送受信装置は、ピーク検出ブロック１０１によるピーク検出タイミング同士の間隔と、ピーク検出ブロック１０２によるピーク検出タイミング同士の間隔とを比較し、ピーク検出ブロック１０１またはピーク検出ブロック１０２のうちのいずれがより一定の時間に近い間隔でピークを検出するかを判定する比較器１０３、比較器１０３の判定結果に基づいて、ピーク検出ブロック１０１によって検出されたピーク、またはピーク検出ブロック１０２によって検出されたピークのうち、一定の時間により近い間隔で検出されると判定されたピークを選択的に出力させるセレクタ１０５と、を備えている。
【００２１】
このような本実施形態では、セレクタ１０５によって選択されたピークだけがセレクタ１０５から出力され、検出タイミングにばらつきが多いピークは外部に出力されない。出力されたピークは、地上デジタル放送受信装置の図示しない制御部に入力され、受信処理に使用される。
上記した構成のうち、相関信号生成部１は、共役変換部１０６、遅延回路１０７、乗算器１０８、移動平均算出部１０９を備えている。ＯＦＤＭ方式の送信装置によって送信され、受信装置において受信された受信データは、虚数を含んでいる。共役変換部１０６は、受信データを共役変換する。遅延回路１０７は、共役変換された信号を予想される有効シンボル長（本実施形態では２５２μｓ、５０４μｓ、１００８μｓの３通りを想定）分遅延させる。乗算器１０８は、遅延された信号と遅延されていない信号とを複素乗算するものである。
【００２２】
移動平均算出部１０９は、複素乗算された結果（実数部Ｉ2＋虚数部Ｑ2）を示す信号を入力し、この信号と、信号を受信信号がとり得るＧＩ長分に相当する時間だけ遅延させた信号との差分を図示しない減算器等を使って得る。そして、この値をフーリエ変換して移動平均を算出し、相関値を示す相関信号Ｃを出力する。なお、移動平均算出部１０９において遅延されるＧＩ長に相当する時間は、ピーク検出窓と呼ばれている。
【００２３】
図２は、相関値を示す相関信号Ｃの一例を示す図である。図２に示した相関信号Ｃは、有効シンボル長が１００８μｓでＧＩが１／１６（６３μｓ）の受信データを、遅延回路１０７で１００８μｓ遅延させ、６３μｓのピーク検出窓を使って移動平均値を算出した場合に得られる信号である。本実施形態では、以降、図２に示した相関信号Ｃを処理するものとして本実施形態の地上デジタル放送受信装置を説明する。
【００２４】
ピーク検出ブロック１０１、ピーク検出ブロック１０２は、同様の構成を有し、いずれも一定の検出時間ごとにピークを検出している。ただし、本実施形態では、ピーク検出ブロック１０２の直前にディレイカウンタ１１０を設けている。ピーク検出ブロック１０２に入力されるクロック信号１１１は、ディレイカウンタ１１０に入力して１／２周期分遅延される。このため、ディレイカウンタ１１０に入力されたクロック信号１１１は、周期が一定で位相が１／２周期ずれたクロック信号１１２となる。
【００２５】
ピーク検出ブロック１０１は、クロック信号１１１を入力し、クロック信号１１１にしたがうタイミングでピークを検出する。一方、ピーク検出ブロック１０２は、クロック信号１１２を入力し、クロック信号１１２にしたがうタイミングでピークを検出する。この結果、ピーク検出ブロック１０２は、ピーク検出ブロック１０１による検出のタイミングに対して位相が１／２周期ずれたタイミングで相関信号におけるピークを検出することになる。
【００２６】
本実施形態では、ピーク検出ブロック１０１、１０２によるピーク検出の１周期をそれぞれタイミング枠と記し、ピーク検出ブロック１０１のタイミング枠をタイミング枠Ｆ１、ピーク検出ブロック１０２のタイミング枠をタイミング枠Ｆ２と記す。また、ピーク検出ブロック１０１、１０２が各々のタイミング枠ごとに相関信号Ｃのピークを検出することを、タイミング枠で相関信号Ｃを切り出すとも記すものとする。
【００２７】
図３は、タイミング枠Ｆ１、タイミング枠Ｆ２を例示した図である。図３から明らかなように、タイミング枠がタイミング枠Ｆ２のように設定された場合、１回のピーク検出で相関ピークＰの立ち上がりから立下りまでが観測されるから、相関ピークＰのピーク点Ｐpを正確に検出できる。
しかし、図３のタイミング枠Ｆ１のように、タイミング枠Ｆ１同士の境界が相関ピークＰのピーク点Ppと一致した場合、タイミング枠Ｆ１において１つの相関ピークＰが２回検出される可能性がある。このような場合、受信装置が受信データのモードに対応するモードで相関信号Ｃを生成したにも関わらず、シンボル長を正確に判定できないという不具合を生じる。
【００２８】
このような不具合に備え、本実施形態は、相関信号Ｃをタイミング枠Ｆ１で切り出すピーク検出ブロック１０１と共に、タイミング枠Ｆ１と周期が同じで位相が異なるタイミング枠Ｆ２で切り出すピーク検出ブロック１０２を備える。そして、ピーク検出ブロック１０１、１０２によって検出されたピークのうち、適切なものを使ってＯＦＤＭ方式の受信データを処理するものである。
【００２９】
ピーク検出ブロック１０１、１０２におけるピークの検出は、切り出された相関信号Ｃを所定のサンプリング時間ごとに検出し、検出された信号の中で最大値が検出されたタイミングを検出することによって行われる。ピーク検出ブロック１０１は、検出されたタイミングをタイミングＡとして出力する。また、ピーク検出ブロック１０２は、検出されたタイミングをタイミングＢとして出力する。
【００３０】
タイミングＢは、ピーク検出ブロック１０２直後の補正部１０４に入力され、補正部１０４において後の処理のために周期の遅延の補正を受ける。図中のＤを付した信号は、補正後のタイミングＢを表している。
なお、本実施形態では、１回のサンプリングをインデックスと記す。そして、各インデックスを、タイミング枠内でサンプリングが行われた順番を示すインデックス番号によって特定する。本実施形態のタイミングＡ、タイミングＢは、インデックス番号によって表される。本実施形態では、１つのタイミング枠内でｎ回のサンプリングが行われる。したがって、インデックス番号は、１、２…ｎの値をとり得る。
【００３１】
また、ピーク検出ブロック１０１は、タイミングＡの検出タイミングのばらつきＡ´を算出して出力し、ピーク検出ブロック１０２は、タイミングＢの検出タイミングのばらつきＢ´を出力する。
比較器１０３は、ピーク検出ブロック１０１によって出力されたばらつきＡ´、ピーク検出ブロック１０２によって出力されたばらつきＢ´を入力し、両者を比較する。そして、ばらつきＡ´、Ｂ´のうちのより小さい側を特定し、ばらつきＡ´、Ｂ´のうちのより小さいばらつきを示す信号Ｓを出力する。
【００３２】
セレクタ１０５は、信号Ｓと共に、タイミングＡ、タイミングＤを入力する。そして、信号ＳにしたがってタイミングＡ、タイミングＤのうちばらつきが少ないタイミングを選択する。つまり、セレクタ１０５は、ばらつきＡ´がばらつきＢ´よりも大きいことを信号Ｓが示す場合、タイミングＤを選択する。また、セレクタ１０５は、ばらつきＢ´がばらつきＡ´よりも大きいことを信号Ｓが示す場合、タイミングＡを選択する。
【００３３】
選択されたＡまたはＤは、受信データの内容を解析する図示しない制御部に出力される。このため、本実施形態の地上デジタル放送受信装置は、ピーク検出ブロック１０１、１０２によって得られた相関ピーク信号のうち、より適正であると思われるものを使ってデータシンボル長を判定することができる。
図４は、図２に示したピーク検出ブロック１０１、１０２のより詳細な構成を説明するための回路図である。ピーク検出ブロック１０１、１０２は、同様に構成されている。このため、本実施形態では、ピーク検出ブロック１０１の回路図を図４に示し、ピーク検出ブロック１０２の説明に代えるものとする。
【００３４】
ピーク検出ブロック１０１は、相関ピークＰを検出するための相関ピーク検出部３０、ピークが得られたインデックスのうちの最大のインデックスを検出する最大インデックス検出部３２、最少のインデックスを検出する最小インデックス検出部３１、ピークが得られたインデックスのばらつきを検出するばらつき検出部３３、ピークが得られたインデックスの平均値を算出する平均値算出部３４を備えている。ばらつき検出部３３は、比較器１０３と共にピーク検出タイミング判定手段を構成するものである。
【００３５】
相関ピーク検出部３０は、相関信号Ｃを入力し、タイミング枠ごとにピークの値と、ピーク点Ｐpが得られたインデックスを取得するものである。このため、相関ピーク検出部３０は、比較器３０１、レジスタ３０３、３０４、カウンタ３０２を備えている。比較器３０１は、相関信号Ｃの値をインデックスごとに順次入力し、現在レジスタ３０３に保持されている相関信号Ｃの値と比較する。比較器３０１の比較の結果、より大きい相関信号Ｃを示す信号ａが、レジスタ３０３、３０４に入力される。
【００３６】
レジスタ３０３は、信号ａによって今回入力された相関信号Ｃと、直前に保持されていた相関信号Ｃとの大小関係を判断し、より大きい値の相関信号Ｃを保持する。また、信号ａは、レジスタ３０４には、信号ａと共にカウンタ３０２のカウント値が入力されている。レジスタ３０４は、信号ａに基づいて、今回入力された相関信号Ｃ、直前に保持されていた相関信号Ｃのうち、より大きい相関信号Ｃに対応するカウント値をインデックスとして保持する。
【００３７】
カウンタ３０２のカウント値が所定の値に達することにより、相関ピーク検出部３０は、１タイミング枠におけるピーク検出が完了したと判断する。このとき、レジスタ３０３に保持されている相関信号Ｃに対応するインデックスは、最大インデックス検出部３２、最小インデックス検出部３１と共に平均値算出部３４に出力される。
最大インデックス検出部３２は、比較器３０５、レジスタ３０６を備えている。比較器３０５は、今回入力されたインデックスと、レジスタ３０６に直前まで保持されていたインデックスとを比較する。そして、比較の結果、より大きいインデックスを示す信号ｂをレジスタ３０６に出力し、レジスタ３０６は、より大きいインデックスｅを保持する。
【００３８】
最小インデックス検出部３１は、比較器３０７、レジスタ３０８を備えている。比較器３０７は、今回入力されたインデックスと、レジスタ３０６に直前まで保持されていたインデックスとを比較する。そして、比較の結果、より小さいインデックスを示す信号ｄをレジスタ３０８に出力し、レジスタ３０８は、より小さいインデックスｇを保持する。
インデックスｅ、インデックスｇは、ばらつき検出部３３に入力される。ばらつき検出部３３は、インデックスｅからインデックスｇを減算するための乗算器３０９と加算器３１０とを備えている。そして、インデックスｅとインデックスｇとの差分を算出し、ばらつきＡ´として出力する。
【００３９】
また、インデックスｅ、インデックスｇは、平均値算出部３４に入力される。平均値算出部３４は、複数（本実施形態ではＮ個）のタイミング枠のピーク点Ｐpを得に対応するインデックスを平均化した平均値を算出するものである。このため、平均値算出部３４は、相関ピーク検出部３０から出力されたインデックスをＮ個分加算するアキュームレータ３１４、アキュームレータ３１４によって算出されたインデックスの加算値から最大インデックス及び最小インデックスを減算するための乗算器３１１、３１２及び加算器３１３、３１５、アキュームレータ３１４の加算値をＮ−２で除算する除算器３１６を備えている。
【００４０】
なお、アキュームレータ３１４の加算値から最大インデックス、最少インデックスの２つのインデックスを減算する理由は、インデックスのうち、ばらつきが大きいと考えられる最大インデックス、最少インデックスを平均値の算出に用いることによって適正な平均値を得ることができない可能性を排するためである。
ピーク検出ブロック１０２は、以上述べたピーク検出ブロック１０１と同様の構成によってばらつきＢ´、タイミングＢを出力する。ばらつきＢ´は、比較器１０３に入力される。そして、比較器においてばらつきＡ´と比較される。
【００４１】
一方、タイミングＢは、補正部１０４に入力された後、セレクタ１０５に入力される。補正部１０４は、ピーク検出ブロック１０２に入力されるクロック信号１１２の位相を、クロック信号１１１に対して１／２周期遅延させたことによって生じたインデックスのオフセットを補正する構成である。補正されたタイミングＢは、タイミングＤとしてセレクタ１０５に入力される。セレクタ１０５は、比較器１０３がばらつきＡ´、ばらつきＢ´のうちいずれが小さい値を有するかを示す信号ｈをセレクタ１０５に入力する。セレクタ１０５は、信号ｈに基づいて、タイミングＡ、タイミングＤのうちいずれのばらつきが小さいかを判断する。そして、ばらつきが小さいタイミングを選択して出力する。
【００４２】
以上述べた構成は、以下のように動作する。なお、この動作では、地上デジタル放送受信装置が、Ｎ個のタイミング枠で取得されたＮ個のインデックスを１単位にして平均値等を算出するものとして説明する。
相関信号生成部１は、受信データに基づいて有効シンボルの一部とガードインターバルとの相関を示す相関信号Ｃを生成する。相関信号Ｃは、ピーク検出ブロック１０１、ピーク検出ブロック１０２に入力し、各々の相関ピーク検出部３０において、１タイミング枠におけるピークの最大値（ピーク点Ｐpの値）と、ピーク点Ｐpに対応するインデックスを取得する。
【００４３】
取得されたインデックスは、最大インデックス検出部３２、最小インデックス検出部３１及び平均値算出部３４のアキュームレータ３１４に入力される。
最大インデックス検出部３２は、入力されたインデックスを現時点で入力された他のインデックスのうち最大のインデックスと比較する。そして、今回入力されたインデックスが最大である場合、このインデックスｅはレジスタ３０６に保持されると共に、ばらつき検出部３３に入力される。
【００４４】
また、最小インデックス検出部３１は、入力されたインデックスを現時点で入力された他のインデックスのうち最小のインデックスと比較する。そして、今回入力されたインデックスが最小である場合、このインデックスｇはレジスタ３０８に保持されると共に、ばらつき検出部３３に入力される。ばらつき検出部３３は、入力されたインデックスの最大値と最小値との差分を算出し、算出された差分値Ａ´またはばらつきＢ´として出力する。
【００４５】
ばらつきＡ´、ばらつきＢ´は比較器１０３に入力され、比較器１０３は、ばらつきＡ´、ばらつきＢ´のうち小さいばらつきに対応するタイミングを選択するよう指示する信号ｈをセレクタ１０５に出力する。このような構成により、本実施形態では、常にピークの検出タイミングのばらつきがより小さいタイミングを選択し、選択されたタイミングを地上デジタル放送受信装置に入力することができる。
【００４６】
ばらつきは、例えば、図３のタイミング枠Ｆ１で相関値信号が切り出された場合には、タイミング枠Ｆ２等で相関値信号を切りした場合に比べて大きくなる。このため、本実施形態によれば、相関信号Ｃを不適正なタイミング枠で切り出した場合に得られるピークと、適正なタイミング枠で切り出した場合に得られるピークとを自動的に判別し、適正なタイミング枠で切り出した場合に得られるピークを選択的に出力することができる。
【００４７】
平均値算出部３４は、入力されたインデックスの平均値を算出し、算出された平均値をタイミングＡ、タイミングＢとして出力する。平均値の算出にあたり、アキュームレータ３１４は、平均値に大きく影響する最大インデックス、最小インデックスを平均値の算出から除いている。このため、本実施形態は、ばらつきがより少なく、信頼性の高いシンボル長を得ることができる。
【００４８】
なお、本実施形態では、アキュームレータ３１４が、受信動作開始からＮ個のインデックスが入力されてくるまで待機し、Ｎ個のインデックスが入力された時点で最初の平均値を算出する。そして、次のタイミングでは最初に入力されたインデックスを最後に入力されたインデックスに代えて平均値を算出するものとした。このような動作によれば、アキュームレータ３１４は、常にＮ個のインデックスの平均値を算出することができる。
【００４９】
以上述べた本実施形態の地上デジタル放送受信装置は、ピーク検出ブロック１０１、ピーク検出ブロック１０２の２つのピーク検出ブロックを備え、両者のピーク検出のタイミングを１／２周期分ずらして設定している。このため、ピーク検出ブロック１０１、ピーク検出ブロック１０２の一方おいて設定されたタイミング枠が不適正であった場合にも、他方において適正にピークを検出することができる。なお、ピーク検出のタイミングのずれ量は１／２周期分に限定されるものでなく、互いに異なるタイミングでピークを検出するものならばどのような量であってもよい。
【００５０】
また、ピーク検出ブロック１０１、ピーク検出ブロック１０２で検出されたピークのうち、より一定の時間に近い間隔で検出されたピークを、選択的に出力させることができるので、受信装置における受信タイミングによらず、受信データのシンボル長を正確に検出することができる地上デジタル放送受信装置を提供することができる。
さらに、本実施形態は、ピーク検出ブロック１０１、ピーク検出ブロック１０２のピーク検出タイミングをモニターしておくことにより、送信側と受信側との間のクロックのずれによって生じる受信状態の変化をも検出することができる。そして、例えば、受信動作中に一方のピーク検出タイミングのばらつきが増大し、他方のピーク検出タイミングのばらつきが低減した場合、ピーク検出タイミングのばらつきがより小さい側の信号を自動的に選択し、地上デジタル放送受信装置に入力することができる。
【００５１】
なお、本実施形態は、以上述べた構成に限定されるものではない。すなわち、本実施形態は、ピーク検出ブロックを２つ設ける構成に限定されるものでなく、必要に応じてさらにより多くのピーク検出ブロックを設けてもよい。
また、本実施形態は、ピーク検出ブロック１０１、ピーク検出ブロック１０２において周期が異なるタイミング枠を設定するにあたり、一方に入力されるクロック信号を遅延させて他方に入力する構成に限定されるものではない。例えば、ピーク検出ブロック１０１に入力されるクロック信号に一定の信号を加算または減算し、ピーク検出ブロック１０２に入力させるよう構成してもよい。
【００５２】
さらに、本発明は、常にピーク検出ブロック１０１、１０２を並行して動作させることに限定されるものではない。例えば、ピーク検出ブロック１０１によってピークが検出されるタイミングのばらつきが大きいと判断された場合にピーク検出ブロック１０２を動作させる。そして、ピーク検出ブロック１０２によるピークの検出タイミングが、ピーク検出ブロック１０１の検出タイミングよりばらつきが小さいものであると判断された場合にはピーク検出ブロック１０１を停止し、ピーク検出ブロック１０２によって検出されたピークだけを使って受信データを処理するようにしてもよい。
【００５３】
このように構成した場合、本発明は、地上デジタル放送受信装置をより省力化することができる。
また、本実施形態は、ピーク検出ブロック１０１、１０２のタイミング枠を固定する構成に限定されるものではない。例えば、クロック信号の遅延量を動的に変化させ、ピーク検出ブロック１０１、１０２のタイミング枠を変化させることも可能である。
【００５４】
このような構成によれば、本実施形態は、より多くのタイミングで相関信号Ｃを検出し、受信データの状態等に応じて最適なタイミング枠を調査し、設定することも可能である。
【図面の簡単な説明】
【００５５】
【図１】本発明の一実施形態の地上デジタル放送受信装置の全体的な構成を説明するための図である。
【図２】相関値を示す相関信号Ｃの一例を示す図である。
【図３】図１に示したピーク検出ブロックで設定されるタイミング枠を例示した図である。
【図４】図２に示したピーク検出ブロックのより詳細な構成を説明するための回路図である。
【図５】受信装置において受信データの種別を判定する一般的な方法を説明するための図である。
【符号の説明】
【００５６】
１  相関信号生成部  ３０  相関値検出部、３１  最小インデックス検出部  ３２  最大インデックス検出部、３３  ばらつき検出部  ３４  平均値算出部、１０１，１０２  ピーク検出ブロック  １０３  比較器、１０４  補正部、１０５  セレクタ  １０６  共役変換部、１０７  遅延回路、１０８  乗算器  １０９  移動平均算出部、１１０  ディレイカウンタ
【図１】
2006340275.tif 000003
【図２】
2006340275.tif 000004
【図３】
2006340275.tif 000005
【図４】
2006340275.tif 000006
【図５】
2006340275.tif 000007